【事件の表示】
　特願２０１５−　５５１７５「デバイスツーデバイスオペレーションを処理する方法」拒絶査定不服審判事件〔平成２７年１０月２２日出願公開，特開２０１５−１８６２６１〕について，次のとおり審決する。
【結　論】
　本件審判の請求は，成り立たない。
【理　由】
第１　手続の経緯
　本願は，平成２７年３月１８日（パリ条約による優先権主張　２０１４年３月１９日　米国，２０１５年３月１２日　米国）の出願であって，平成２８年３月２４日付けで拒絶理由が通知され，同年６月２日に意見書及び手続補正書が提出され，同年１１月２５日付けで拒絶査定がされ，これに対し，平成２９年２月２７日に拒絶査定不服審判が請求され，同時に手続補正がされたものである。
第２　平成２９年２月２７日にされた手続補正についての補正の却下の決定
［補正の却下の決定の結論］
　平成２９年２月２７日にされた手続補正（以下，「本件補正」という。）を却下する。
［理由］
１　本件補正の概要
　本件補正は，平成２８年６月２日にされた手続補正により補正された特許請求の範囲の請求項１に記載された択一的選択肢の１つである「前記Ｄ２Ｃオペレーションが前記第１のサブフレームにおいて前記Ｄ２Ｄオペレーションと衝突し，第２のサブフレームが前記Ｄ２Ｄオペレーションに従う前記第１のサブフレームに対応する再送サブフレームであるとき，前記第２のサブフレームにおける前記Ｄ２Ｄオペレーションをストップするステップ」を削除するものである。
２　補正の適否
（１）新規事項の有無，シフト補正の有無，補正の目的要件
　本件補正は，択一的選択肢である発明特定事項の１つを削除することにより特許請求の範囲を限定するものであるから，出願当初の明細書，特許請求の範囲又は図面に記載された事項の範囲内においてされたものであって，特許法第１７条の２第５項第２号に掲げる事項を目的とするものであり，特許法第１７条の２第４項に違反するところはない。
（２）独立特許要件
　本件補正は，特許請求の範囲の減縮を目的とするものであるから，本件補正後の請求項１に係る発明が特許出願の際独立して特許を受けることができるものであるのか否かについて，以下検討する。
ア　補正後の発明
　本件補正後の請求項１に係る発明（以下，「補正後の発明」という。）は，平成２９年２月２７日にされた手続補正により補正された特許請求の範囲の請求項１に記載された以下のとおりのものと認める。
「通信デバイスのためのデバイスツーデバイス（Ｄ２Ｄ）オペレーションを処理する方法であって，
　ネットワークに対するデバイスツーセルラ（Ｄ２Ｃ）オペレーションを実行するための第１のサブフレームを決定するステップ（３０２）と，
　前記Ｄ２Ｃオペレーションが前記第１のサブフレームにおいてＤ２Ｄオペレーションと衝突しないとき，前記Ｄ２Ｃオペレーションを前記第１のサブフレームにおいて実行するステップ（３０４）と，
　前記Ｄ２Ｃオペレーションが前記第１のサブフレームにおいて前記Ｄ２Ｄオペレーションと衝突するとき，前記Ｄ２Ｃオペレーションを前記第１のサブフレームにおいて実行し，前記第１のサブフレームにおける前記Ｄ２Ｄオペレーションをストップするステップ（３０６）と，を備え，
　前記方法はさらに，
　前記Ｄ２Ｃオペレーションが前記第１のサブフレームにおいて前記Ｄ２Ｄオペレーションと衝突し，第３のサブフレームが前記第１のサブフレームにおける前記Ｄ２Ｄオペレーションのためのスケジューリング割当てによってスケジュールされているとき，前記第３のサブフレームにおける前記Ｄ２Ｄオペレーションをストップするステップ，または，
　前記Ｄ２Ｃオペレーションが前記第１のサブフレームにおいて前記Ｄ２Ｄオペレーションと衝突し，前記Ｄ２Ｃオペレーションが第４のサブフレームにおける前記Ｄ２Ｄオペレーションと衝突し，第３のサブフレームが前記第１のサブフレームおよび前記第４のサブフレームにおける前記Ｄ２Ｄオペレーションのためのスケジュール割当てによってスケジュールされるとき，前記第３のサブフレームにおける前記Ｄ２Ｄオペレーションをストップするステップ，を備える
　方法。」
イ　引用発明
　原査定の拒絶の理由に引用された米国特許出願公開第２０１４／０００４８６７号明細書（２０１４年１月２日公開。以下，「引用例」という。）には，図面とともに以下の事項が記載されている。
（ア）「3) Third Example Embodiment 
[0178]　Next, the third example embodiment of the data transmission/reception method in accordance with the present invention will be described.
[0179]　FIG. 8  is a subframe timing diagram illustrating the third example embodiment of the data transmission/reception method of the D2D communication in accordance with the present invention.
[0180]　In the third example embodiment, there are two types of transmission assignment information  831  that is transmitted by a first base station  810  to a first device  811 . One type is activation transmission assignment information indicating a scheduling start, and the other type is release transmission assignment information indicating a scheduling end.
[0181]　
When the first device  811  receives the transmission assignment information (activation or release), the first device transmits UL reception success or failure information  832  to the first base station after a1 subframes. Here, a value of a1 may be preset to a specific value, and the first base station may notify the first device of the specific value through higher-order layer signaling.
[0182]　When the first device receives the activation transmission assignment information, first device generates data  833  according to the activation transmission assignment information and transmits the data  833  to a second device  821 . If the first device receives new activation transmission assignment information, the first device may be configured to ignore previously received activation transmission assignment information, generate data according to the new activation transmission assignment information, and transmit the generated data to the second device.
[0183]　The activation transmission assignment information may include a combination of resource assignment information, modulation and coding information, transmission precoding matrix information, cyclic shift information, power control information, HARQ process number information, carrier indicator information, frequency hopping indicator information, UL index information, DL assignment index information, channel state request information, resource assignment form information, SRS request information, precoding matrix decision information, DL power offset information, precoding information, scrambling information, number-of-layers information, antenna port information, and the like. As mentioned in relation to the transmission assignment information of the first example embodiment, the activation transmission assignment information may be configured to selectively include the remaining information excluding core information such as the resource assignment information and the modulation and coding information according to a system configuration and a transmission format.」（１２ページ左欄）
（［当審仮訳］：
３）第３の実施形態
[0178]　次に，本発明に係るデータ送信／受信方法の第３の実施形態について説明する。
[0179]　図８は，本発明に従ったＤ２Ｄ通信のデータ送信／受信方法の第３の実施形態を示すサブフレームタイミング図である。
[0180]　第３の実施形態では，第１の基地局８１０により第１のデバイス８１１に送信される２種類の送信割当情報８３１がある。１つのタイプはスケジューリング開始を示す送信活性化割当情報であり，もう１つのタイプはスケジューリング終了を表す送信解除割当情報である。
[0181]　
第１のデバイス８１１が送信割当情報（活性化又は解除）を受信すると，第１のデバイスはa1サブフレーム後に第１の基地局にＵＬ受信成否情報８３２を送信する。a1の値は特定の値にプリセットしてもよいし，第１の基地局が上位レイヤシグナリングを介して特定の値を第１のデバイスに通知してもよい。
[0182]　第１のデバイスが送信活性化割当情報を受信すると，第１のデバイスは，送信活性化割当情報に基づいてデータ８３３を生成し，第２のデバイス８２１にデータ８３３を送信する。第１のデバイスが新しい送信活性化割当情報を受信すると，第１のデバイスは，以前に受信された送信活性化割当情報を無視して，新たな送信活性化割当情報に基づいてデータを生成し，第２のデバイスに生成されたデータを送信するように構成することができる。
[0183]　送信活性化割当情報は，リソース割当情報，変調及び符号化情報，送信プリコーディングマトリクス情報，巡回シフト情報，電力制御情報，ＨＡＲＱ処理番号情報，キャリヤ指示情報，周波数ホッピング指示情報，ＵＬインデックス情報，ＤＬ割当インデックス情報，チャネル状態要求情報，リソース割当フォーム情報は，ＳＲＳ要求情報，プリコーディングマトリクス決定情報，ＤＬ電力オフセット情報，プリコーディング情報，スクランブル情報，レイヤ数情報，アンテナポート情報等の組み合わせを含んでもよい。第１の実施形態の送信割当情報に関連して言及したように，送信活性化割当情報は，システム構成及び送信フォーマットに従って，リソース割当情報や変調及び符号化情報等のコア情報を除いた残りの情報を選択的に含むように構成することができる。）
（イ）「5) Fifth Example Embodiment 
[0226]　Next, the fifth example embodiment of the data transmission/reception method in accordance with the present invention will be described.
[0227]　In the fifth example embodiment, a process in which a link (second D2D link) through which the second device transmits D2D data to the first device is additionally activated in a state in which the first device transmits data to the second device (in a state in which D2D data transmission is performed through a first D2D link) in accordance with the third example embodiment will be described. Because the fifth example embodiment basically follows the processes of the third example embodiment, differences between the fifth example embodiment and the third example embodiment will be mainly described.
[0228]　FIGS. 12 and 13  are subframe timing diagrams illustrating the fifth example embodiment of the data transmission/reception method of the D2D communication in accordance with the present invention.
（中略）
[0232]　First, when a subframe in which the first device transmits UL reception success or failure information for activation reception assignment information of the second D2D link received from the first base station overlaps a subframe in which data of the first D2D link is transmitted or when a subframe in which the second device transmits UL reception success or failure information for activation transmission assignment information of the second D2D link received from the second base station overlaps a subframe in which data of the first D2D link is received, data transmission/reception processes of the second D2D link and the first D2D link will be described with reference to  FIG. 12 .
（中略）
[0246]　Next, when a subframe in which the first device transmits UL reception success or failure information corresponding to activation reception assignment information of the second D2D link received from the first base station overlaps a subframe in which reception success or failure information of the first D2D link is received or when a subframe in which the second device transmits UL reception success or failure information corresponding to activation transmission assignment information of the second D2D link received from the second base station overlaps a subframe in which reception success or failure information of the first D2D link is transmitted, data transmission/reception processes of the second D2D link and the first D2D link will be described with reference to  FIG. 13 .
[0247]　In  FIG. 13 , it is assumed that an assignment scheme is used for NDI information of the first D2D link and NDI information of the second D2D link.
[0248]　
The first base station may transmit the activation reception assignment information of the second D2D link to the first device in a subframe m1+d+c-a1 (1301). When the first device receives the activation reception assignment information of the second D2D link in the subframe m1+d+c-a1, the first device transmits UL reception success or failure information corresponding to the activation reception assignment information of the second D2D link to the first base station in a subframe m1+d+c (1302).
That is, when a subframe in which UL reception success or failure information for activation reception assignment information of the second D2D link is received from the first base station 
overlaps a subframe in which reception success or failure information for data transmitted through the first D2D link is received from the second device, the first device preferentially performs the transmission of UL reception success or failure information for the activation reception assignment information of the second D2D link received from the second base station
 rather than the reception of reception success or failure information from the second device.
[0249]　
Because the first device has not received reception success or failure information for data of the first D2D link transmitted to the second device from the second device
in a subframe m1+d, the first device may not transmit data of the first D2D link in a subframe m1+2d+c (1303) after d subframes from a subframe in which UL reception success or failure information has been transmitted so as to prevent unnecessary power consumption.
[0250]　In addition, the first device may transmit the data of the first D2D link in the subframe m1+2d+c (1303). At this time, the first device initially transmits or retransmits data of the first D2D link (that is, data of the subframe  1303) to be first transmitted after receiving the activation reception assignment information of the second D2D link. That is, the first device may be configured so that the data of the first D2D link to be first transmitted after receiving new activation reception assignment information (the activation reception assignment information of the second D2D link) is constantly transmitted in initial transmission or retransmission.」（１６ページ左欄，同右欄，１８ページ左欄〜右欄）
（［当審仮訳］：
５）第５の実施形態
[0226]　次に，本発明に係るデータ送信／受信方法の第５実施形態について説明する。
[0227]　第５の実施形態では，第３の実施形態にしたがって第１のデバイスが第２のデバイスにＤ２Ｄデータを送信する状態（Ｄ２Ｄのデータ転送を第１のＤ２Ｄリンクを介して行われる状態）で，第２のデバイスが第１のデバイスにＤ２Ｄデータを送信するリンク(第２のＤ２Ｄリンク)が追加的に活性化される処理が説明される。第５の実施形態は基本的には第３実施形態の処理に追従するので，第５実施形態及び第３実施形態との相違点を中心に説明する。 
[0228]　図１２及び図１３は，本発明に従ったＤ２Ｄ通信のデータ送信／受信方法の第５の実施形態を示すサブフレームタイミング図である。 
（中略）
[0232]　まず，第１のデバイスが第１の基地局から受信された第２のＤ２Ｄリンクの受信活性化割当情報に対するＵＬ受信成否情報を送信するサブフレームと，第１のＤ２Ｄリンクのデータが送信されるサブフレームとが重なる場合，あるいは，第２のデバイスが第２の基地局から受信された第２のＤ２Ｄリンクの送信活性化割当情報に対するＵＬ受信成否情報を送信するサブフレームと，第１のＤ２Ｄリンクのデータが受信されるサブフレームとが重なる場合の，第２のＤ２Ｄリンク及び第１のＤ２Ｄリンクのデータ送信／受信処理が図１２を参照して説明される。
（中略）
[0246]　次に，第１のデバイスが第１の基地局から受信された第２のＤ２Ｄリンクの受信活性化割当情報に対するＵＬ受信成否情報を送信するサブフレームと，第１のＤ２Ｄリンクの受信成否情報を受信するサブフレームとが重なる場合，あるいは，第２のデバイスが第２の基地局から受信された第２のＤ２Ｄリンクの送信活性化割当情報に対するＵＬ受信成否情報を送信するサブフレームと，第１のＤ２Ｄリンクの受信成否情報が送信されるサブフレームとが重なる場合の，第２のＤ２Ｄリンク及び第１のＤ２Ｄリンクのデータ送信／受信処理が図１３を参照して説明される。
[0247]　図１３では，第１のＤ２ＤリンクのＮＤＩ情報及び第２のＤ２ＤリンクのＮＤＩ情報のために割当スキームが使用されることを想定している。
[0248]　
第１の基地局は，サブフレームm1+d+c-a1(1301)にて第１のデバイスに第２のＤ２Ｄリンクの受信活性化割当情報を送信してもよい。第１のデバイスがサブフレームm1+d+c-a1にて第２のＤ２Ｄリンクの受信活性化割当情報を受信すると，第１のデバイスはサブフレームm1+d+c(1302)にて第２のＤ２Ｄリンクの受信活性化割当情報に対応するＵＬ受信成否情報を第１の基地局に送信する。
すなわち，第２のＤ２Ｄリンクの受信活性化割当情報に対するＵＬ受信成否情報が第１の基地局から受信される
サブフレームが，第１のＤ２Ｄリンクを介して送信されるデータの受信成否情報が第２のデバイスから受信されるサブフレームと重なった場合，第１のデバイスは，前記第２のデバイスから受信成否情報の受信するよりも，第２の基地局
から受信された第２のＤ２Ｄリンクの受信活性化割当情報に対するＵＬ受信成否情報の送信を優先的に行う。
[0249]　
第１のデバイスは，サブフレームm1+dに第２のデバイスから
第２のデバイスに送信された第１のＤ２Ｄリンクのデータについての受信成否情報を受信していないため，無駄な電力消費を防止するため，第１のデバイスは，ＵＬ受信成否情報が送信されたサブフレームからdサブフレーム後のサブフレームm1+2d+c(1303)では第１のＤ２Ｄリンクのデータを送信しなくてもよい。
[0250]　さらに，第１のデバイスはサブフレームm1+2d+c(1303)において第１のＤ２Ｄリンクのデータを送信してもよい。このとき，第１のデバイスは第１のＤ２Ｄリンクのデータ（すなわち，サブフレーム1303のデータ）を初送又は再送し，第２のＤ２Ｄリンクの受信活性化割当情報を受信した後の最初の送信となる。すなわち，第１のデバイスは，新規の受信活性化割当情報（第２のＤ２Ｄリンクの受信活性化割当情報）が受信された後に最初に送信される第１のＤ２Ｄリンクのデータが常に初送又は再送にて送信されるように構成されてもよい。）
　
　
　上記（ア），（イ）及び図８，図１３の記載，並びに当業者の技術常識を考慮すると，
(i) 上記（ア）の［0181］の記載によれば，第１のデバイスは，第１の基地局から送信活性化割当情報を受信するとa1サブフレーム後に第１の基地局にＵＬ受信成否情報を送信するところ，ＵＬ受信成否情報が送信されるサブフレームは，第１のデバイスにおいてプリセット又は上位レイヤシグナリングを介して通知されたa1の値に基づいて決定されるといえる。そして，上記（イ）の[0248]の記載及び図１３によれば，受信活性化割当情報に対するＵＬ受信成否情報についても同様のことが見てとれる。
　したがって，引用例には，「第１の基地局に対するＵＬ受信成否情報を送信するためのサブフレームを決定すること」が記載されていると認められる。
(ii) 上記（イ）の［0248］の記載によれば，第１の基地局がサブフレームm1+d+c-a1(1301)にて第１のデバイスに第２のＤ２Ｄリンクの受信活性化割当情報を送信した場合，第１のデバイスでは，サブフレームm1+d+c(1302)おいて，第２のＤ２Ｄリンクの受信活性化割当情報に対応するＵＬ受信成否情報の第１の基地局への送信と，第１のＤ２Ｄリンクのデータの受信成否情報の第２のデバイスからの受信とが重なり，第２のデバイスからの第１のＤ２Ｄリンクの受信成否情報の受信よりも，第１の基地局へのＵＬ受信成否情報の送信を優先的に行うものである。すなわち，第２のデバイスからの第１のＤ２Ｄリンクの受信成否情報の受信はストップされると解される。
　ここで，上記(i) のとおり，当該サブフレームm1+d+c(1302)は，a1の値に基づいて決定されたサブフレームといえる。
　したがって，引用例には，「第１の基地局に対するＵＬ受信成否情報の送信が決定された前記サブフレームにおいて第２のデバイスからの第１のＤ２Ｄリンクの受信成否情報の受信と重なるとき，第１の基地局に対する前記送信を前記サブフレームにおいて実行し，前記サブフレームにおける第２のデバイスからの前記受信をストップする」ことが記載されていると認められる。
(iii) 上記（イ）の[0249]の記載及び図１３によれば，サブフレームm1+dで第１のＤ２Ｄリンクのデータが第１のデバイスから第２のデバイスに送信されたところ，第１のデバイスは当該データについての受信成否情報をサブフレームm1+d+c(1302)にて第２のデバイスから受信していないため，第１のデバイスはm1+2d+c(1303)では第１のＤ２Ｄリンクのデータを送信しないことが示されている。
　そして，図１３によれば，第２のデバイスへの第１のＤ２Ｄリンクのデータの送信（m1+d，m1+2d+c，m1+3d+2c）に対する第２のデバイスからの受信成否情報の受信（(m1+d+c)，m1+2d+2c，m1+3d+3c）は，データの送信からcサブフレーム後に為され，第２のデバイスからの当該受信成否情報の受信に基づく第２のデバイスへの第１のＤ２Ｄリンクのデータの再送（NACKの場合，NDI=1）又は次のデータの送信（ACKの場合，NDI=0）（m1+2d+c，m1+3d+2c，m1+4d+3c）は，受信成否情報の受信（m1+d+c，m1+2d+2c，m1+3d+3c）からdサブフレーム後に為され，これらの動作が繰り返されることが見てとれる。
　ここで，上記（イ）の[0250]には，[0249]の記載とは反対に「さらに，第１のデバイスはサブフレームm1+2d+c(1303)において第１のＤ２Ｄリンクのデータを送信してもよい。」と記載されているが，「さらに，・・・してもよい。」のとおり，更なる別の例を示していると解され，［0249］の態様を否定するものではない。
　したがって，引用例には，「第１の基地局に対するＵＬ受信成否情報の前記送信が決定された前記サブフレームにおいて第２のデバイスからの第１のＤ２Ｄリンクの受信成否情報の前記受信と重なり，第２のデバイスへの第１のＤ２Ｄリンクのデータの送信に対する第２のデバイスからの受信成否情報の受信がデータの送信からcサブフレーム後に為され，第２のデバイスからの当該受信成否情報の受信に基づく第２のデバイスへの第１のＤ２Ｄリンクのデータの再送又は次のデータの送信が受信成否情報の受信からdサブフレーム後に為され，これらの動作が繰り返されるとき，受信しなかった受信成否情報の受信に基づく第２のデバイスへのデータを送信しない」ことが記載されていると認められる。
　以上を総合すると，引用例には以下の発明（以下，「引用発明」という。）が記載されていると認める。
「第１の基地局に対するＵＬ受信成否情報を送信するためのサブフレームを決定し，
　第１の基地局に対するＵＬ受信成否情報の送信が決定された前記サブフレームにおいて第２のデバイスからの第１のＤ２Ｄリンクの受信成否情報の受信と重なるとき，第１の基地局に対する前記送信を前記サブフレームにおいて実行し，前記サブフレームにおける第２のデバイスからの前記受信をストップし，
　さらに，
　第１の基地局に対するＵＬ受信成否情報の前記送信が決定された前記サブフレームにおいて第２のデバイスからの第１のＤ２Ｄリンクの受信成否情報の前記受信と重なり，第２のデバイスへの第１のＤ２Ｄリンクのデータの送信に対する第２のデバイスからの受信成否情報の受信がデータの送信からcサブフレーム後に為され，第２のデバイスからの当該受信成否情報の受信に基づく第２のデバイスへの第１のＤ２Ｄリンクのデータの再送又は次のデータの送信が受信成否情報の受信からdサブフレーム後に為され，これらの動作が繰り返されるとき，受信しなかった受信成否情報の受信に基づく第２のデバイスへのデータを送信しない，
　方法。」
ウ　対比・判断
　補正後の発明と引用発明とを対比すると，
(i) 引用発明の「第１の基地局に対するＵＬ受信成否情報の送信」は，第１のデバイスから第１の基地局に対して為されるものであるから，補正後の発明の「ネットワークに対するデバイスツーセルラ（Ｄ２Ｃ）オペレーション」に含まれる。
　したがって，引用発明の「第１の基地局に対するＵＬ受信成否情報を送信するためのサブフレームを決定し」は，補正後の発明の「ネットワークに対するデバイスツーセルラ（Ｄ２Ｃ）オペレーションを実行するための第１のサブフレームを決定するステップ（３０２）」に相当する。
(ii) 引用発明の「第２のデバイスからの第１のＤ２Ｄリンクの受信成否情報の受信」は，「通信デバイスのためのデバイスツーデバイス（Ｄ２Ｄ）オペレーション」といえる。
　したがって，引用発明の「第１の基地局に対するＵＬ受信成否情報の送信が決定された前記サブフレームにおいて第２のデバイスからの第１のＤ２Ｄリンクの受信成否情報の受信と重なるとき，第１の基地局に対する前記送信を前記サブフレームにおいて実行し，前記サブフレームにおける第２のデバイスからの前記受信をストップし」は，補正後の発明の「前記Ｄ２Ｃオペレーションが前記第１のサブフレームにおいて前記Ｄ２Ｄオペレーションと衝突するとき，前記Ｄ２Ｃオペレーションを前記第１のサブフレームにおいて実行し，前記第１のサブフレームにおける前記Ｄ２Ｄオペレーションをストップするステップ（３０６）」に相当する。
(iii) 上述のとおり，引用発明の「第１の基地局に対するＵＬ受信成否情報の前記送信が決定された前記サブフレームにおいて第２のデバイスからの第１のＤ２Ｄリンクの受信成否情報の前記受信と重なり，」は，補正後の発明に「前記Ｄ２Ｃオペレーションが前記第１のサブフレームにおいて前記Ｄ２Ｄオペレーションと衝突し，」に相当する。
　そして，引用発明の「第２のデバイスへの第１のＤ２Ｄリンクのデータの送信に対する第２のデバイスからの受信成否情報の受信がデータの送信からcサブフレーム後に為され，第２のデバイスからの当該受信成否情報の受信に基づく第２のデバイスへの第１のＤ２Ｄリンクのデータの再送又は次のデータの送信が受信成否情報の受信からdサブフレーム後に為され，これらの動作が繰り返されるとき」は，データの送信及び受信成否情報の受信に係るサブフレームがスケジューリング割当てによってスケジュールされていると解するのが相当である。
　してみると，受信成否情報の受信に基づく第２のデバイスへの第１のＤ２Ｄリンクのデータの再送又は次のデータの送信がなされるサブフレーム（サブフレームm1+2d+c(1303)）は，受信成否情報の受信のためのスケジューリング割当てによってスケジュールされている「第３のサブフレーム」ということができる。そして，引用発明の「受信しなかった受信成否情報の受信に基づく第２のデバイスへのデータを送信」は，本願発明の「前記第３のサブフレームにおける前記Ｄ２Ｄオペレーション」に相当し，「送信しない」ことを「Ｄ２Ｄオペレーションをストップする」と称することは任意である。
　したがって，引用発明の「第１の基地局に対するＵＬ受信成否情報の前記送信が決定された前記サブフレームにおいて第２のデバイスからの第１のＤ２Ｄリンクの受信成否情報の前記受信と重なり，第２のデバイスへの第１のＤ２Ｄリンクのデータの送信に対する第２のデバイスからの受信成否情報の受信がデータの送信からcサブフレーム後に為され，第２のデバイスからの当該受信成否情報の受信に基づく第２のデバイスへの第１のＤ２Ｄリンクのデータの再送又は次のデータの送信が受信成否情報の受信からdサブフレーム後に為され，これらの動作が繰り返されるとき，受信しなかった受信成否情報の受信に基づく第２のデバイスへのデータを送信しない」は，補正後の発明の「前記Ｄ２Ｃオペレーションが前記第１のサブフレームにおいて前記Ｄ２Ｄオペレーションと衝突し，第３のサブフレームが前記第１のサブフレームにおける前記Ｄ２Ｄオペレーションのためのスケジューリング割当てによってスケジュールされているとき，前記第３のサブフレームにおける前記Ｄ２Ｄオペレーションをストップするステップ」に相当する。
(iv) 補正後の発明の「前記Ｄ２Ｃオペレーションが前記第１のサブフレームにおいて前記Ｄ２Ｄオペレーションと衝突し，第３のサブフレームが前記第１のサブフレームにおける前記Ｄ２Ｄオペレーションのためのスケジューリング割当てによってスケジュールされているとき，前記第３のサブフレームにおける前記Ｄ２Ｄオペレーションをストップするステップ」と，「前記Ｄ２Ｃオペレーションが前記第１のサブフレームにおいて前記Ｄ２Ｄオペレーションと衝突し，前記Ｄ２Ｃオペレーションが第４のサブフレームにおける前記Ｄ２Ｄオペレーションと衝突し，第３のサブフレームが前記第１のサブフレームおよび前記第４のサブフレームにおける前記Ｄ２Ｄオペレーションのためのスケジュール割当てによってスケジュールされるとき，前記第３のサブフレームにおける前記Ｄ２Ｄオペレーションをストップするステップ」とは，共に択一的な選択肢であるから，引用発明が後者の選択肢に係るステップを備えていないことは相違点とはならない。
(v) 引用発明を「通信デバイスのためのデバイスツーデバイス（Ｄ２Ｄ）オペレーションを処理する方法」と称することは任意である。
　以上を総合すると，補正後の発明と引用発明とは，以下の点で一致し，また，相違している。
（一致点）
「通信デバイスのためのデバイスツーデバイス（Ｄ２Ｄ）オペレーションを処理する方法であって，
　ネットワークに対するデバイスツーセルラ（Ｄ２Ｃ）オペレーションを実行するための第１のサブフレームを決定するステップ（３０２）と，
　前記Ｄ２Ｃオペレーションが前記第１のサブフレームにおいて前記Ｄ２Ｄオペレーションと衝突するとき，前記Ｄ２Ｃオペレーションを前記第１のサブフレームにおいて実行し，前記第１のサブフレームにおける前記Ｄ２Ｄオペレーションをストップするステップ（３０６）と，を備え，
　前記方法はさらに，
　前記Ｄ２Ｃオペレーションが前記第１のサブフレームにおいて前記Ｄ２Ｄオペレーションと衝突し，第３のサブフレームが前記第１のサブフレームにおける前記Ｄ２Ｄオペレーションのためのスケジューリング割当てによってスケジュールされているとき，前記第３のサブフレームにおける前記Ｄ２Ｄオペレーションをストップするステップ，を備える
　方法。」
（相違点）
　補正後の発明は，「前記Ｄ２Ｃオペレーションが前記第１のサブフレームにおいてＤ２Ｄオペレーションと衝突しないとき，前記Ｄ２Ｃオペレーションを前記第１のサブフレームにおいて実行するステップ（３０４）」なる構成を有しているのに対し，引用発明は「前記Ｄ２Ｃオペレーションが前記第１のサブフレームにおいてＤ２Ｄオペレーションと衝突しないとき」の動作について明示していない点。
　以下，上記相違点について検討する。
　引用例にはＤ２ＣオペレーションがＤ２Ｄオペレーションと衝突しない場合について明記されていないが，第１のデバイスが決定された「第１の基地局に対するＵＬ受信成否情報を送信するためのサブフレーム」にて第１の基地局に対するＵＬ受信成否情報の送信を実行することは自然であるから，引用発明においても，第１の基地局に対するＵＬ受信成否情報の送信が決定されたサブフレームにおいて第２のデバイスからの第１のＤ２Ｄリンクの受信成否情報の受信と重ならないとき，第１の基地局に対するＵＬ受信成否情報の送信を実行するものと解されるし，そのようにすることは当業者が容易になし得ることに過ぎない。
　そして，補正後の発明の作用効果も，引用発明に基づいて当業者が予測できる範囲のものである。
　したがって，補正後の発明は，引用発明と同一，あるいは，引用発明に基づいて当業者が容易に発明をすることができたものであるから，特許法第２９条第１項第３号，同第２項の規定により，特許を受けることができない。
３　請求人の主張に対する検討
　請求人は，平成２８年６月２日に提出された意見書にて「しかしながら，引用文献１は，第１のサブフレームにおける送信と，後続のサブフレームにおける送信との間の関係を教示していません。」と主張し，審判請求書にて「すなわち，請求項１は，第１のサブフレームで衝突が発生したときの第１のサブフレームにおけるＤ２Ｄオペレーションについて規定するだけでなく，第１のサブフレームで衝突が発生したときの第１のサブフレームの後続のサブフレームにおけるＤ２Ｄオペレーションについても規定しています。このような構成は，引用文献１には教示されておりません。従って，引用文献１は請求項１の構成を開示しておりません。」と主張している。
　しかし，上記２ウ(iii) のとおり，サブフレーム1302のＤ２Ｄ送信は第２のデバイスによる受信成否情報の送信であり，サブフレーム1303のＤ２Ｄ送信はサブフレーム1302の受信成否情報に基づく第１のＤ２Ｄリンクのデータの再送又は次のデータの送信であるから，意見書の上記主張は採用できない。
　また，上記２ウ(iii) のとおり，引用例は，サブフレーム1302で重なりが生じたときのサブフレーム1302の後続のサブフレーム1303における第１のＤ２Ｄリンクのデータの送信についても規定しているから，意見書の上記主張は採用できない。
４　結語
　したがって，本件補正は，補正後の発明が特許出願の際独立して特許を受けることができないものであるから，特許法第１７条の２第６項において準用する同法第１２６条第７項の規定に違反するので，同法第１５９条第１項において読み替えて準用する同法第５３条第１項の規定により却下すべきものである。
第３　本願発明について
１　本願発明
　平成２９年２月２７日にされた手続補正は上記のとおり却下されたので，本願発明は，平成２８年６月２日にされた手続補正により補正された特許請求の範囲の請求項１に記載された以下のとおりのものと認める。
「通信デバイスのためのデバイスツーデバイス（Ｄ２Ｄ）オペレーションを処理する方法であって，
　ネットワークに対するデバイスツーセルラ（Ｄ２Ｃ）オペレーションを実行するための第１のサブフレームを決定するステップ（３０２）と，
　前記Ｄ２Ｃオペレーションが前記第１のサブフレームにおいてＤ２Ｄオペレーションと衝突しないとき，前記Ｄ２Ｃオペレーションを前記第１のサブフレームにおいて実行するステップ（３０４）と，
　前記Ｄ２Ｃオペレーションが前記第１のサブフレームにおいて前記Ｄ２Ｄオペレーションと衝突するとき，前記Ｄ２Ｃオペレーションを前記第１のサブフレームにおいて実行し，前記第１のサブフレームにおける前記Ｄ２Ｄオペレーションをストップするステップ（３０６）と，を備え，
　前記方法はさらに，
　前記Ｄ２Ｃオペレーションが前記第１のサブフレームにおいて前記Ｄ２Ｄオペレーションと衝突し，第２のサブフレームが前記Ｄ２Ｄオペレーションに従う前記第１のサブフレームに対応する再送サブフレームであるとき，前記第２のサブフレームにおける前記Ｄ２Ｄオペレーションをストップするステップ，または，
　前記Ｄ２Ｃオペレーションが前記第１のサブフレームにおいて前記Ｄ２Ｄオペレーションと衝突し，第３のサブフレームが前記第１のサブフレームにおける前記Ｄ２Ｄオペレーションのためのスケジューリング割当てによってスケジュールされているとき，前記第３のサブフレームにおける前記Ｄ２Ｄオペレーションをストップするステップ，または，
　前記Ｄ２Ｃオペレーションが前記第１のサブフレームにおいて前記Ｄ２Ｄオペレーションと衝突し，前記Ｄ２Ｃオペレーションが第４のサブフレームにおける前記Ｄ２Ｄオペレーションと衝突し，第３のサブフレームが前記第１のサブフレームおよび前記第４のサブフレームにおける前記Ｄ２Ｄオペレーションのためのスケジュール割当てによってスケジュールされるとき，前記第３のサブフレームにおける前記Ｄ２Ｄオペレーションをストップするステップ，を備える
　方法。」
２　原査定の拒絶の理由
　原査定の拒絶理由は，
　（新規性）この出願の下記の請求項に係る発明は，その出願前に日本国内又は外国において，頒布された下記の刊行物に記載された発明又は電気通信回線を通じて公衆に利用可能となった発明であるから，特許法第２９条第１項第３号に該当し，特許を受けることができない，
　（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない，
　というものであり，請求項１に対して米国特許出願公開第２０１４／０００４８６７号明細書（引用例）が引用されている。
３　引用発明
　引用発明は，上記「第２　平成２９年２月２７日にされた手続補正についての補正の却下の決定」の項中の「２　補正の適否」の項中の「（２）独立特許要件」の項中の「イ　引用発明」の項で認定したとおりである。
４　対比・判断
　本願発明と引用発明とを対比するに，本願発明は補正後の発明から当該補正に係る限定を省いたもの，すなわち，削除された択一的選択肢を備えるものである。
　そうすると，択一的選択肢である「前記Ｄ２Ｃオペレーションが前記第１のサブフレームにおいて前記Ｄ２Ｄオペレーションと衝突し，第３のサブフレームが前記第１のサブフレームにおける前記Ｄ２Ｄオペレーションのためのスケジューリング割当てによってスケジュールされているとき，前記第３のサブフレームにおける前記Ｄ２Ｄオペレーションをストップするステップ」を備える発明については，本願発明と補正後の発明との間で差異は無い。
　したがって，補正後の発明が，上記「第２　補正の却下の決定」の項中の「２　補正の適否」の項中の「（２）独立特許要件」の項中の「ウ　対比・判断」の項で検討したとおり，引用発明と同一であり，また，引用発明に基づいて当業者が容易に発明をすることができたものであるから，本願発明も同様の理由により，引用発明と同一であり，また，引用発明に基づいて容易に発明をすることができたものである。
５　むすび
　以上のとおり，本願発明は，引用発明と同一であり，また，引用発明に基づいて当業者が容易に発明をすることができたものであるから，特許法第２９条第１項第３号，同第２項の規定により，特許を受けることができない。
　よって，結論のとおり審決する。